(57)【要約】      （修正有）【課題】毎回印刷する際の平坦性を保証し、接合部分の性能を確保し、更に製品の品質も向上させる下降式セラミック3Ｄプリンターを提供する。【解決手段】フレームを備え、前記フレームの中部にその周囲に密封された材料積込みブロックが設置され、前記材料積込みブロックの下部に印刷昇降装置が接続され、前記印刷昇降装置はフレームの下部に設置された昇降取付ブロックに取り付けられ、前記フレームの上部の左側に材料積込みブロックにおける材料と連係する材料こすり取り装置が設置され、上部の右側に取付ブラケットが設置され、前記取付ブラケットに互いに連係する光点発射装置及び透光ブロックが設置され、且つ取付ブラケットに材料投入装置が設置される。【選択図】図１
2019214198.tif 000002
【特許請求の範囲】
【請求項１】
フレーム（1）を備え、前記フレーム（1）の中部にその周囲に密封された材料積込みブロック（4）が設置され、前記材料積込みブロック（4）の下部に印刷昇降装置（3）が接続され、前記印刷昇降装置（3）はフレーム（1）の下部に設置された昇降取付ブロック（2）に取り付けられ、前記フレーム（1）の上部の左側に材料積込みブロック（4）における材料と連係する材料こすり取り装置（9）が設置され、上部の右側に取付ブラケット（5）が設置され、前記取付ブラケット（5）に互いに連係する光点発射装置（6）及び透光ブロック（7）が設置され、且つ取付ブラケット（5）に材料投入装置（8）が設置されることを特徴とする下降式セラミック3Ｄプリンター。
【請求項２】
前記材料積込みブロック（4）の中部に成形口が開けられ、前記成形口にそれぞれ成形スクリーン（11）と成形密封ブロック（13）が上から下へ設置され、前記成形スクリーン（11）に材料取出穴（12）が設けられ、前記成形密封ブロック（13）の下部にＬ形の成形密封取付ブロック（14）が設置され、且つ成形密封ブロック（14）の水平部分が密封取付ボルト（15）を介して材料積込みブロック（4）の下部に締め付けられることを特徴とする請求項１に記載の下降式セラミック3Ｄプリンター。
【請求項３】
前記成形密封ブロック（13）の下部の中心に印刷昇降位置決めロッド（16）が設置され、前記印刷昇降位置決めロッド（16）の下部が印刷昇降位置決めブロック（17）と接触するが接続せずに連係され、前記印刷昇降位置決めブロック（17）の下部の左右両側に印刷昇降位置決めシリンダー（18）が接続され、前記印刷昇降位置決めシリンダー（18）が昇降取付ブロック（2）に取り付けられることを特徴とする請求項２に記載の下降式セラミック3Ｄプリンター。
【請求項４】
前記昇降取付ブロック（2）には二つの印刷昇降位置決めシリンダー（18）の間に位置する所に、印刷昇降位置規制シリンダー（19）が均一に設置され、前記印刷昇降位置規制シリンダー（19）の上部に印刷昇降位置規制ブロック（20）が接続され、且つすべての印刷昇降位置規制ブロック（20）が高度差が同じである階段状になっていることを特徴とする請求項３に記載の下降式セラミック3Ｄプリンター。
【請求項５】
前記材料こすり取り装置（9）はフレーム（1）に嵌め込められた材料こすり取り昇降シリンダー（22）がフレーム（1）を貫通した所に配置された材料こすり取りシリンダー（23）を備え、前記材料こすり取りシリンダー（23）に材料積込みブロック（4）と合わさる材料こすり取りブロック（24）が接続され、前記フレーム（1）において材料積込みブロック（4）の前後側に位置する所に材料こすり取りブロック（24）が設置されることを特徴とする請求項１に記載の下降式セラミック3Ｄプリンター。
【請求項６】
前記フレーム（1）には材料こすり取り昇降シリンダー（22）と材料積込みブロック（4）との間に位置する所に、余分な材料収集ボックス（25）が嵌め込められ、前記余分な材料収集ボックス（25）の右側の壁体に材料こすり取りブロックの清掃溝（26）が設けられ、前記材料こすり取りブロックの清掃溝（26）に材料こすり取りブロックの清掃ばね（27）が設置され、前記材料こすり取りブロックの清掃ばね（27）に材料こすり取りブロック（24）の下側と連係する材料こすり取りブロックの清掃円錐ブロック（29）が設置されることを特徴とする請求項５に記載の下降式セラミック3Ｄプリンター。
【請求項７】
前記余分な材料収集ボックス（25）の側壁に材料こすり取りブロックの清掃溝（26）と連通されて且つ前後の幅が材料こすり取りブロックの清掃溝（26）における収集ボックスの取出口（30）より小さく、前記材料こすり取りブロックの清掃ばね（27）の下部に材料こすり取りブロックの清掃溝（26）と固設せずに連係する清掃ばね取付ブロック（28）が設置されることを特徴とする請求項６に記載の下降式セラミック3Ｄプリンター。
【請求項８】
前記取付ブラケット（5）には透光ブロック（7）の上下部に位置する所に、透光調整シリンダー（33）が設置され、前記透光調整シリンダー（33）に透光ブロック（7）と連係する透光調整ブロック（34）が接続され、上部の透光調整ブロック（34）の左側に透光ブロック（35）が設置され、下部の透光調整ブロック（34）の右側に遮光ブロック（35）が設置されることを特徴とする請求項１に記載の下降式セラミック3Ｄプリンター。
【請求項９】
材料投入装置（8）は取付ブラケット（5）の下部に固設された材料投入筒（43）を備え、前記材料投入筒（43）の下部に材料投入口（44）が設けられ、前記材料投入口（44）に材料投入配管（45）が連係され、前記材料投入筒（43）の側面に材料注入配管（46）が連通され、内底面に材料投入開合回転ブロック（49）が設置され、且つ材料投入開合回転ブロック（49）に材料投入口（44）と連係する材料投入開合口（50）が設けられ、前記材料投入開合回転ブロック（49）に垂直方向を向いて且つ材料投入筒（43）の上部を貫通している材料投入開合回転軸（47）が固設され、且つ材料投入開合回転軸（47）には材料投入筒（43）の内側に位置する所に、取出攪拌ロッド（48）が設置され、前記材料投入開合回転軸（47）が取り付けブラケット（5）に設置された材料投入回転モータ（41）と連係することを特徴とする請求項１に記載の下降式セラミック3Ｄプリンター。
【発明の詳細な説明】
【技術分野】
【０００１】
本発明は3Ｄプリンターの設備分野に関し、特に下降式セラミック3Ｄプリンターに関する。
【背景技術】
【０００２】
科学技術の進歩に伴って、3Ｄプリンターがますます普及してきて、その中で、セラミック3Dプリンターは光点の凝固成形を利用して、より滑らかな製品を印刷することができるため、応用の範囲が広くなっている。従来のセラミック3Ｄプリンターに通常積込みボックスが設置されており、積込みボックスの底部に透光ブロックが設けられており、且つ下部に光点発射器が連係され、上方に成形昇降ブロックが設けられており、成形昇降ブロックによって印刷できた部分を上昇させて、下の部分に対して印刷を行っている、このような形は上昇式印刷という、このような形で印刷する場合、一定の欠陥が存在しており、印刷部分の下部を再印刷部分の上部と接合するたびに、バリが発生する可能性が高く、さらに製品の接合する部分の性能が悪くなり、印刷できた製品の品質に影響を与える。
【発明の概要】
【発明が解決しようとする課題】
【０００３】
本発明は下降式セラミック3Ｄプリンターを提供することを目的とし、透光ブロックと光点発射装置が材料積込みブロックの上方に設置されることにより、材料積込みブロックを少しずつ下降させて製品の印刷を実現することができ、各部分が印刷完了した際又は材料を補充する際に、材料こすり取り装置によって平らに刮げて、毎回印刷の平坦性を保証し、接合部分の性能を確保し、更に製品の品質も向上させる。
【課題を解決するための手段】
【０００４】
以上の目的を実現するために、本発明の使用する技術的な解決方案は以下の通りである。下降式セラミック3Ｄプリンターであって、それはフレームを備え、前記フレームの中部にその周囲に密封された材料積込みブロックが設置され、前記材料積込みブロックの下部に印刷昇降装置が接続され、前記印刷昇降装置がフレームの下部に設置された昇降取付ブロックに取り付けられ、前記フレームの上部の左側に材料積込みブロックにおける材料と連係する材料こすり取り装置が設置され、上部の右側に取付ブラケットが設置され、前記取付ブラケットに互いに連係する光点発射装置及び透光ブロックが設置され、且つ取付ブラケットに材料投入装置が設置される。
【０００５】
さらに、前記材料積込みブロックの中部に成形口が開けられ、前記成形口にそれぞれ成形スクリーンと成形密封ブロックが上から下へ設置され、前記成形スクリーンに材料取出穴が設けられ、前記成形密封ブロックの下部にＬ形の成形密封取付ブロックが設置され、且つ成形密封ブロックの水平部分が密封取付ボルトを介して材料積込みブロックの下部に締め付けられる。
【０００６】
さらに、前記成形密封ブロックの下部の中心に印刷昇降位置決めロッドが設置され、前記印刷昇降位置決めロッドが設置され、前記印刷昇降位置決めロッドの下部が印刷昇降位置決めブロックと接触するが接続せずに連係され、前記印刷昇降位置決めブロックの下部の左右両側に印刷昇降位置決めシリンダーが接続され、前記印刷昇降位置決めシリンダーが昇降取付ブロックに取り付けられる。
【０００７】
さらに、前記昇降取付ブロックには二つの昇降位置決めシリンダーの間に位置する所に、印刷昇降位置規制シリンダーが均一に設置され、前記印刷昇降位置規制シリンダーの上部に印刷昇降位置規制ブロックが接続され、且つすべての印刷昇降位置規制ブロックが高度差が同じである階段状になっている。
【０００８】
さらに、前記材料こすり取り装置はフレームに嵌め込められた材料こすり取り昇降シリンダーがフレームを貫通した所に配置された材料こすり取りシリンダーを備え、前記材料こすり取りシリンダーに材料積込みブロックと合わさる材料こすり取りブロックが接続され、前記フレームにおいて材料積込みブロックの前後側に位置する所に材料こすり取りブロックが設置される。
【０００９】
さらに、前記のフレームには材料こすり取り昇降シリンダーと材料積込みブロックの間に位置する所に、余分な材料収集ボックスが嵌め込められ、前記余分な材料収集ボックスの右側の壁体に材料こすり取りブロックの清掃溝が設けられ、前記材料こすり取りブロックの清掃溝に材料こすり取りブロックの清掃ばねが設置され、前記材料こすり取りブロックの清掃ばねに材料こすり取りブロックの下側と連係する材料こすり取りブロックの清掃円錐ブロックが設置される。
【００１０】
さらに、前記余分な材料収集ボックスの側壁に材料こすり取りブロックの清掃溝と連通されて且つ前後の幅が材料こすり取りブロックの清掃溝における収集ボックスの取出口より小さく、前記材料こすり取りブロックの清掃ばねの下部に材料こすり取りブロックの清掃溝と固設せずに連係する清掃ばね取付ブロックが設置される。
【００１１】
さらに、前記取付ブラケットには透光ブロックの上下部に位置する所に、透光調整シリンダーが設置され、前記透光調整シリンダーに透光ブロックと連係する透光調整ブロックが接続され、上部の透光調整ブロックの左側に遮光ブロックが設置され、下部の透光調整ブロックの右側に遮光ブロックが設置される。
【００１２】
さらに、前記材料投入装置は取付ブラケットの下部に固設された材料投入筒を備え、前記材料投入筒の下部に材料投入口が設けられ、前記材料投入口に材料投入配管が連係され、前記材料投入筒の側面に材料注入配管が連通され、内底面に材料投入開合回転ブロックが設置され、且つ材料投入開合回転ブロックに材料投入口と連係する材料投入開合口が設けられ、前記材料投入開合回転ブロックに垂直方向を向いて且つ材料投入筒の上部を貫通している材料投入開合回転軸が固設され、且つ材料投入開合回転軸には材料投入筒の内側に位置する所に、取出攪拌ロッドが設置され、前記材料投入開合回転軸が取り付けブラケットに設置された材料投入回転モータと連係する。
【発明の効果】
【００１３】
本発明の有益な効果は以下のとおりである。
【００１４】
1、透光ブロックと光点発射装置が材料積込みブロックの上方に設置され、材料積込みブロックを少しずつ下降させて製品の印刷を実現することができ、各部分が印刷完了した際又は材料を補充する際に、材料こすり取り装置によって平らに刮げて、毎回印刷の平坦性を保証し、接合部分の性能を確保し、さらに製品の品質も向上させる。
【００１５】
2、成形スクリーンと成形密封ブロックの設計により、成形の過程において密封性能を確保すると共に、印刷成形の精度が確保可能になり、同時に印刷された製品を材料取出穴により取出されることもできる。
【００１６】
3、印刷昇降位置決めブロックと印刷昇降位置決めロッドを組み合わせる設計により、材料積込みブロックの昇降に対して二次位置決めを実現し、更に材料積込みブロックの昇降精度を確保することができる。
【００１７】
4、印刷昇降位置規制ブロックの階段式の設計により、材料積込みブロックを都度下降させる精度を正確にコントロールすることができ、印刷の精度を大いに向上させる。
【００１８】
5、材料こすり取り装置の構造により、一体で材料をこすり取ることにより、こすり取った後の全体的な均整性を確保すると共に、印刷された部分に対してこすり取って研磨し、引き続き正確に印刷することを確保する。
【００１９】
6、余分な材料収集ボックスと材料こすり取りブロックの清掃部分の設計により、余分なセラミック粘液に対して回収を行うと共に、材料こすり取りブロックの底部に対して清掃を行い、こすり取るたびに均整度を確保する。
【００２０】
7、清掃ばね取付ブロックと収集ボックスの取出口の設計により、材料こすり取りブロックの清掃部分全体を取り出すことが可能であり、それに余分な材料収集ボックスを取出して変更することも可能である。
【００２１】
8、透光調整ブロックと遮光ブロックの設計により、透光の範囲を調整することが可能であり、更に印刷の範囲をコントロールすることができる。
【００２２】
9、材料投入装置の設計により、材料を投入すると共に、材料投入筒における材料に対して撹拌を行い、さらに材料投入筒における材料が固化することを避けることができる。
【図面の簡単な説明】
【００２３】
【図１】下降式セラミック3Ｄプリンターの構造を示す図である。
【図２】印刷昇降部分の構造を示す図である。
【図３】図2におけるＡの部分拡大図である。
【図４】材料こすり取り装置の構造を示す図である。
【図５】図4におけるＢの部分拡大図である。
【図６】透光調整部分の構造を示す図である。
【図７】材料投入装置の構造を示す図である。
【発明を実施するための形態】
【００２４】
当業者が本発明の技術的な解決手段をより良く理解するため、次に、図面と併せて本発明を詳しく説明する。この部分の説明は、実証性と解釈性のみであり、本発明の保護範囲は何ら限定されない。
【００２５】
図1−図7に示すように、本発明の具体的な構造は、下降式セラミック3Ｄシリンダーであって、それはフレーム1 を備え、前記フレーム１の中部にその周囲に密封された材料積込みブロック4が設置され、前記材料積込みブロック4の下部に印刷昇降装置3が接続され、前記印刷昇降装置3はフレーム1の下部に設置された昇降取付ブロック2に取り付けられ、前記フレーム1の上部の左側に材料積込みブロック4における材料と連係する材料こすり取り装置9が設置され、上部の右側に取付ブラケット5が設置され、前記取付ブラケット5に互いに連係する光点発射装置5及び透光ブロック7が設置され、且つ取付ブラケット5に材料投入装置8が設置される。
【００２６】
好ましくは、前記材料積込みブロック4の中部に成形口が開けられ、前記成形口にそれぞれ成形スクリーン11と成形密封ブロック13が上から下へ設置され、前記成形スクリーン11に材料取出穴12が設けられ、前記成形密封ブロック13の下部にＬ形の成形密封取付ブロック14が設置され、且つ成形密封ブロック14の水平部分が密封取付ボルト15を介して材料積込みブロック4の下部に締め付けられる。
【００２７】
好ましくは、前記成形密封ブロック13の下部の中心に印刷昇降位置決めロッド16が設置され、前記印刷昇降位置決めロッド16の下部が印刷昇降位置決めブロック17と接触するが接続せずに連係され、前記印刷昇降位置決めブロック17の下部の左右両側に印刷昇降位置決めシリンダー18が接続され、前記印刷昇降位置決めシリンダー18が昇降取付ブロック2に取り付けられる。
【００２８】
好ましくは、前記昇降取付ブロック2には二つの昇降位置決めシリンダー18の間に位置する所に、印刷昇降位置規制シリンダー19が均一に設置され、前記印刷昇降位置規制シリンダー19の上部に印刷昇降位置規制ブロック20が接続され、且つすべての印刷昇降位置規制ブロック20が高度差が同じである階段状になっている。
【００２９】
好ましくは、前記材料こすり取り装置9はフレーム1に嵌め込められた材料こすり取り昇降シリンダー22がフレーム1を貫通した所に配置された材料こすり取りシリンダー23を備え、前記材料こすり取りシリンダー23に材料積込みブロック4と合わさる材料こすり取りブロック24が接続され、前記フレーム1において材料積込みブロック4の前後側に位置する所に材料こすり取りブロック24が設置される。
【００３０】
好ましくは、前記のフレーム1には材料こすり取り昇降シリンダー22と材料積込みブロック4の間に位置する所に、余分な材料収集ボックス25が嵌め込められ、前記余分な材料収集ボックス25の右側の壁体に材料こすり取りブロックの清掃溝26が設けられ、前記材料こすり取りブロックの清掃溝26に材料こすり取りブロックの清掃ばね27が設置され、前記材料こすり取りブロックの清掃ばね27に材料こすり取りブロックの下側と連係する材料こすり取りブロックの清掃円錐ブロック29が設置される。
【００３１】
好ましくは、前記余分な材料収集ボックス25の側壁に材料こすり取りブロックの清掃溝26と連通されて且つ前後の幅が材料こすり取りブロックの清掃溝26における収集ボックスの取出口30より小さく、前記材料こすり取りブロックの清掃ばね27の下部に材料こすり取りブロックの清掃溝26と固設せずに連係する清掃ばね取付ブロック28が設置される。
【００３２】
好ましくは、前記取付ブラケット5には透光ブロック7の上下部に位置する所に、透光調整シリンダー33が設置され、前記透光調整シリンダー33に透光ブロック7と連係する透光調整ブロック34が接続され、上部の透光調整ブロック34の左側に透光ブロック35が設置され、下部の透光調整ブロック34の右側に透光ブロック35が設置される。
【００３３】
好ましくは、前記材料投入装置8は取付ブラケット5の下部に固設された材料投入筒43を備え、前記材料投入筒43の下部に材料投入口44が設けられ、前記材料投入口44に材料投入配管45が連係され、前記材料投入筒43の側面に材料注入配管46が連通され、内底面に材料投入開合回転ブロック49が設置され、且つ材料投入開合回転ブロック49に材料投入口44と連係する材料投入開合口50が設けられ、前記材料投入開合回転ブロック49に垂直方向を向いて且つ材料投入筒43の上部を貫通している材料投入開合回転軸47が固設され、且つ材料投入開合回転軸47には材料投入筒43の内側に位置する所に、取出攪拌ロッド48が設置され、前記材料投入開合回転軸47が取り付けブラケット5に設置された材料投入回転モータ41と連係する。
【実施例】
【００３４】
具体的に使用する時、まず材料積込みブロック4を初期の高さに調整した後、印刷製品の特性に基づき、透光調整シリンダー33によって遮光ブロックの位置を調整し、さらに遮光の範囲を確認できた後、続いて印刷昇降位置規制シリンダー19によって各印刷昇降位置規制ブロック20の高さを調整し、続いて材料投入回転モータ41により材料投入開合回転軸47を回転させ、更に材料投入撹拌ロッド48を駆動させて材料を撹拌させると共に、材料投入開合回転ブロック49を回転させ、材料投入開合口50を材料投入口44に連通させ、材料が材料投入口44から材料投入配管45に流れ込んで、更に材料積込みブロック4に落ちることにより、一定の材料が投入されると、材料投入回転モータ41により材料投入開合回転ブロック49を再び回転させ、更に材料投入開合口50を材料投入口44とずらせて、材料投入を停止させ、続いて材料こすり取り昇降シリンダー22と材料こすり取りシリンダー23により、材料こすり取り24が材料積込みブロック4の右側に位置させ、材料こすり取りブロック24をフレーム1の上表面に貼らせて、続いて材料こすり取りシリンダー23により材料こすり取りブロック24を動かして投入された材料を平になるようにこすり取って、余分な材料は材料こすり取りブロック24につれて余分な材料収集ボックスにこすり取られ、材料こすり取りブロックの清掃円錐ブロック29を通過する時、材料こすり取りブロックの清掃円錐ブロック29が付着している材料をこすり取ってそれに余分な材料収集ブックス25に入らせて、こすり取る操作を完了する。続いて光点発射装置6により特定区域の光点を発射させ、材料積込みブロック4における材料を局部固化させ、一部製品の印刷を完了した後、続いて材料こすり取り処理を行い、印刷された部分の表面を平らにさせて、光点印刷昇降装置3により材料積込みブロック4を下降させ、印刷昇降位置決めロッド16が印刷昇降位置決めブロック17に触れた際に下降を停止させ、その時印刷昇降位置決めブロック17が下降し始まって一番目の印刷昇降位置規制ブロック20に触れ、一番目印刷昇降位置規制ブロック20を最低位置に下降させ、続いて材料投入、材料こすり取り、光点固化と材料積込みブロックの下降等プロセスを製品印刷完了まで繰り返して行う。その後、余分な材料収集ボックスと材料積込みブロックにおける材料に対して回収を行い、成形密封ブロック13を取り外して、さらにエジェクターピンを介して下から上へ、材料取出穴12を通して製品を取り出す。
【００３５】
説明すべきなのは、本明細書において、専門用語の“含む”、“含有”またはそのいかなる他の変化は、非排他的な含有を網羅することを意味する。従って、一連の要素を含む過程、方法、物品または装置がそれらの要素を含むだけではなく、かつ明確に列挙されていないその他の要素をさらに備え、またはこの種類の過程、方法、物品または装置の固有の要素をさらに含んでいる。
【００３６】
本明細書に具体的な個別事例を応用して本発明の原理及び実施方式を説明したが、上記の実例の説明は本発明の方法及びその基本理念に対する理解を手伝うだけに用いられる。上記は本発明の好ましい実施方式のみであり、注意すべきなのは、文字表現の制限性のため、客観的に無限の具体的な構造が存在し、本技術分野の当業者にとって、本発明の原理から逸脱しない前提において、さらにいくつかの改善、修正または変化を実施でき、さらに上記の技術的特徴を適切な方式で組み合わせることができる。これらの改善と修正、変化または組み合わせ、または改善せずに発明の構想と技術的解決手段をその他の場合に直接応用するものは、いずれも本発明の保護範囲とみなすべきである。
【符号の説明】
【００３７】
1  フレーム
2  昇降取付ブロック
3  印刷昇降装置
4  材料積込みブロック
5  取付ブラケット
6  光点発射装置
7  透光ブロック
8  材料投入装置
9  材料こすり取り装置
11  成形スクリーン
12  材料取出穴
13  成形密封ブロック
14  成形密封取付ブロック
15  成形密封取付ボルト
16  印刷昇降位置決めロッド
17  印刷昇降位置決めブロック
18  印刷昇降位置決めシリンダー
19  印刷昇降位置規制シリンダー
20  印刷昇降位置規制ブロック
21  材料こすり取り止め板
22  材料こすり取り昇降シリンダー
23  材料こすり取りシリンダー
24  材料こすり取りブロック
25  余分な材料収集ボックス
26  材料こすり取りブロックの清掃溝
27  材料こすり取りブロックの清掃ばね
28  清掃ばねの取付ブロック
29  材料こすり取りの清掃円錐ブロック
30  収集ボックスの取出口
33  透光調整シリンダー
34  透光調整ブロック
35  遮光ブロック
41  材料投入回転モータ
43  材料投入筒
44  材料投入口
45  材料投入配管
46  材料注入配管
47  材料投入開合回転軸
48  材料投入撹拌ロッド
49  材料投入開合回転ブロック
50  材料投入開合口
【図１】
2019214198.tif 000003
【図２】
2019214198.tif 000004
【図３】
2019214198.tif 000005
【図４】
2019214198.tif 000006
【図５】
2019214198.tif 000007
【図６】
2019214198.tif 000008
【図７】
2019214198.tif 000009